(57)【要約】【課題】少量生産に適すると共に、装飾の耐久性を向上することができ、リサイクル処理時の作業を軽減することができる玉箱及びその製造方法を提供する。【解決手段】外周面に装飾が施され、パチンコ玉を収容する樹脂製の玉箱１において、加熱条件下にて押し型を押圧することにより樹脂表面を凹凸に形成して装飾が施してある。玉箱１の樹脂表面を変形させることにより装飾部２を形成しているから、耐久性が良い装飾を施すことができる。また、玉箱１の成形後に装飾を施しているから、異なる装飾に応じて押し型を夫々準備することにより、容易に多種類少量生産に対応することができる。さらに、玉箱１をリサイクル処理するときに、塗料又はインキを使用していないから、塗料又はインキを剥がす作業が不要となり、リサイクル処理時の作業を軽減することができる。【選択図】図２
2009165602.tif 000002
【特許請求の範囲】
【請求項１】
外周面に装飾が施され、パチンコ玉を収容する樹脂製の玉箱において、加熱条件下にて押し型を押圧することにより樹脂表面を凹凸に形成して装飾が施してあることを特徴とする玉箱。
【請求項２】
前記装飾は、複数の凹部（又は凸部）を配設して表された文字又は図柄であることを特徴とする請求項１記載の玉箱。
【請求項３】
前記凹部（又は凸部）は、ドット状又は線状の形状を有することを特徴とする請求項２記載の玉箱。
【請求項４】
外周面に装飾が施され、パチンコ玉を収容する樹脂製の玉箱の製造方法において、複数の凸部（又は凹部）を有する押し型を用い、該押し型を所定温度に加熱して、加熱された押し型を前記玉箱の樹脂表面に押圧し、該樹脂表面を前記押し型に応じて変形させて、前記玉箱の外周面に装飾を施すことを特徴とする玉箱の製造方法。
【請求項５】
前記玉箱はポリカーボネート製であり、前記所定温度は１９０℃〜２１０℃の温度範囲内であることを特徴とする請求項４記載の玉箱の製造方法。
【発明の詳細な説明】
【技術分野】
【０００１】
本発明は、外周面に装飾が施され、パチンコ玉を収容する玉箱及びその製造方法に関する。
【背景技術】
【０００２】
パチンコ店においては、パチンコ玉を投入及び取出しすることができるように上面が開口された筐体形状の樹脂製の玉箱が、パチンコ玉の収容及び運搬のために遊技客及び店員により用いられている。このような樹脂製の玉箱は、金型を用いて成形されており、同一金型を用いて大量生産されるのが一般的である。
【０００３】
一方、パチンコ店の名前、ロゴ等の文字又は図柄を遊技客が視認できるように、玉箱の樹脂表面に装飾を施したいという要望がある。このような玉箱等の樹脂成形品を加飾する方法として、例えば、射出成形金型の成形面に設けた凹凸パターンを成形品の射出成形と同時に成形品表面に転写する方法がある（例えば、特許文献１参照）。しかしながら、特許文献１に記載の成形方法の如く、樹脂成形品の成形と樹脂成形品への加飾とを同時に行う方法は、玉箱のようにパチンコ店毎に異なる装飾を施したい少量生産の場合、異なる装飾毎に金型を用意する必要があり、製作性及びコストの観点から望ましくない。
【０００４】
樹脂成形品を加飾する他の方法として、例えば、文字又は図柄が形成されたスタンプを加熱して、該スタンプにより塗料層の付着したフィルム、所謂箔を樹脂成形品に押し付けて文字又は図柄を印刷するホットスタンプ、文字又は図柄が形成された凹板にインキを塗布し、該凹板にパッドを押し付けて転写したのち、パッドを樹脂成形品に押し付けて更に転写するパッド印刷等の印刷による方法がある（例えば、特許文献２参照）。特許文献２に記載の加飾方法は、ホットスタンプ法を用いてメタリック状の加飾を立体的に施す加飾方法の例である。
【特許文献１】特開２００３−３２０５５５号公報
【特許文献２】特開平６−２８６３９７号公報
【発明の開示】
【発明が解決しようとする課題】
【０００５】
ところが、特許文献２に記載の樹脂成形品の如く、印刷により装飾を施す場合、塗料又はインキが使用に伴う摩耗により部分的に剥離する虞があり、耐久性が良くないという問題があった。また、近年、環境保護及び資源の有効活用の観点から、樹脂成形品のリサイクルが推進されており、リサイクル処理を行う際には、樹脂成形品から塗料又はインキを剥がす必要があり、手間及びコストがかかるという問題があった。
【０００６】
本発明は斯かる事情に鑑みてなされたものであり、主たる目的は、加熱された押し型を押圧することにより樹脂表面を凹凸に形成して装飾を施すことにより、少量生産に適すると共に、装飾の耐久性を向上することができ、リサイクル処理時の作業を軽減することができる玉箱を提供することにある。
【０００７】
また他の目的は、文字又は図柄を複数の凹部（又は凸部）を配設して表すことにより、文字又は図柄を立体化することができる玉箱を提供することにある。
【０００８】
また他の目的は、前記凹部（又は凸部）をドット状又は線状の形状にすることにより、文字又は図柄を立体化することができると共に、押し型の製作が容易である玉箱を提供することにある。
【０００９】
また他の目的は、複数の凸部（又は凹部）を有する押し型を用い、所定温度に加熱された押し型を玉箱の樹脂表面に押圧し、樹脂表面を押し型に応じて変形させて、玉箱の外周面に装飾を施すことにより、少量生産に適すると共に、耐久性が良い装飾を施すことができ、リサイクル処理時の作業を軽減することが可能な玉箱を製造することができる玉箱の製造方法を提供することにある。
【００１０】
また他の目的は、１９０℃〜２１０℃の温度範囲内の所定温度に加熱された押し型をポリカーボネート製の玉箱の樹脂表面に押圧することにより、輪郭が鮮明な装飾を玉箱の外周面に施すことができる玉箱の製造方法を提供することにある。
【課題を解決するための手段】
【００１１】
本発明に係る玉箱は、外周面に装飾が施され、パチンコ玉を収容する樹脂製の玉箱において、加熱条件下にて押し型を押圧することにより樹脂表面を凹凸に形成して装飾が施してあることを特徴とする。
【００１２】
この発明にあっては、加熱条件下にて押し型を玉箱の樹脂表面に押圧し、該押し型により樹脂表面を凹凸に形成して、玉箱の外周面に装飾が施してある。玉箱の樹脂表面を変形させることにより装飾を施しているから、装飾の耐久性を向上することができる。また、玉箱の成形後に装飾を施しているから、異なる装飾に応じて押し型を夫々準備することにより、容易に多種類少量生産に対応することができる。さらに、玉箱をリサイクル処理するときに、塗料又はインキを使用していないから、玉箱から塗料又はインキを剥がす作業が不要となり、リサイクル処理時の作業を軽減することができる。
【００１３】
また、本発明に係る玉箱は、前記装飾は、複数の凹部（又は凸部）を配設して表された文字又は図柄であることを特徴とする。
【００１４】
この発明にあっては、装飾である文字又は図柄を複数の凹部（又は凸部）を配設して表している。即ち、一文字を複数の凹部（又は凸部）を並べることにより表すようにしてある。複数の凹部（又は凸部）により文字又は図柄を表すことにより陰影が生じるから、凹部（又は凸部）の寸法及び間隔を適切に設定することにより、文字又は図柄を立体化することができる。
【００１５】
また、本発明に係る玉箱は、前記凹部（又は凸部）は、ドット状又は線状の形状を有することを特徴とする。
【００１６】
この発明にあっては、前記凹部（又は凸部）をドット状又は線状に形成してある。複数のドット状又は線状の凹部（又は凸部）を配設して文字又は図柄を表すことは容易であるから、凹部（又は凸部）の寸法及び間隔を適切に設定することにより、文字又は図柄を容易に立体化することができると共に、押し型の製作が容易となる。
【００１７】
また、本発明に係る玉箱の製造方法は、外周面に装飾が施され、パチンコ玉を収容する樹脂製の玉箱の製造方法において、複数の凸部（又は凹部）を有する押し型を用い、該押し型を所定温度に加熱して、加熱された押し型を前記玉箱の樹脂表面に押圧し、該樹脂表面を前記押し型に応じて変形させて、前記玉箱の外周面に装飾を施すことを特徴とする。
【００１８】
この発明にあっては、複数の凸部（又は凹部）を有する押し型を用い、所定温度に加熱された押し型を玉箱の樹脂表面に押圧し、樹脂表面を押し型に応じて変形させて、玉箱の外周面に装飾を施している。玉箱の樹脂表面を変形させることにより装飾を施しているから、耐久性が良い装飾を施すことができる。また、玉箱の成形後に装飾を施しているから、異なる装飾に応じて押し型を夫々準備することにより、容易に多種類少量生産に対応することができる。さらに、玉箱をリサイクル処理するときに、塗料又はインキを使用していないから、玉箱から塗料又はインキを剥がす作業が不要となり、リサイクル処理時の作業を軽減することができる。
【００１９】
また、本発明に係る玉箱の製造方法は、前記玉箱はポリカーボネート製であり、前記所定温度は１９０℃〜２１０℃の温度範囲内であることを特徴とする。
【００２０】
この発明にあっては、１９０℃〜２１０℃の温度範囲内の所定温度に加熱された押し型をポリカーボネート製の玉箱の樹脂表面に押圧して玉箱の外周面に装飾を施している。加熱された押し型が押し付けられた玉箱の樹脂表面が熱により軟化して容易に変形するから、輪郭が鮮明な装飾を玉箱の外周面に施すことができる。
【発明の効果】
【００２１】
本発明によれば、玉箱の樹脂表面を変形させることにより装飾を施しているから、装飾の耐久性を向上することができる。また、玉箱の成形後に装飾を施しているから、異なる装飾に応じて押し型を夫々準備することにより、容易に多種類少量生産に対応することができる。さらに、玉箱をリサイクル処理するときに、塗料又はインキを使用していないから、玉箱から塗料又はインキを剥がす作業が不要となり、リサイクル処理時の作業を軽減することができる。
【００２２】
また、本発明によれば、複数の凹部（又は凸部）により文字又は図柄を表すことにより陰影が生じるから、凹部（又は凸部）の寸法及び間隔を適切に設定することにより、文字又は図柄を立体化することができる。
【００２３】
また、本発明によれば、複数のドット状又は線状の凹部（又は凸部）を配設して文字又は図柄を表すことは容易であるから、凹部（又は凸部）の寸法及び間隔を適切に設定することにより、文字又は図柄を容易に立体化することができると共に、押し型の製作が容易となる。
【００２４】
また、本発明によれば、玉箱の樹脂表面を変形させることにより装飾を施しているから、耐久性が良い装飾を施すことができる。また、玉箱の成形後に装飾を施しているから、異なる装飾に応じて押し型を夫々準備することにより、容易に多種類少量生産に対応することができる。さらに、玉箱をリサイクル処理するときに、塗料又はインキを使用していないから、塗料又はインキを剥がす作業が不要となり、リサイクル処理時の作業を軽減することができる。
【００２５】
また、本発明によれば、加熱された押し型が押し付けられた玉箱の樹脂表面が熱により軟化して容易に変形するから、輪郭が鮮明な装飾を玉箱の外周面に施すことができる。
【発明を実施するための最良の形態】
【００２６】
以下、本発明をその実施の形態を示す図面に基づいて詳述する。
（実施の形態１）
図１は、本発明の実施の形態１に係る玉箱の外観斜視図である。図２は、実施の形態１に係る玉箱の側面図である。
【００２７】
図において１は、上面が全面開口された筐体形状を有するポリカーボネート製の玉箱であり、玉箱１は、略矩形をなす底部１１と該底部１１の周縁から略直交する方向に上下方向に延設された側壁１２，１２…とを備えてなる。玉箱１の長手方向の両端には、対向する２側壁１２，１２の上部から外側に突出形成された把手部１３，１３が夫々設けてある。
【００２８】
玉箱１の底部１１には、対角線上の二隅に接地用の貫通孔１４，１４が夫々形成してある。底部１１の下面の側には、貫通孔の周縁から底部１１に略直交する方向に延び、先端に向けて縮径されたガイド筒１５，１５が夫々延設してある。これにより、ガイド筒１５，１５に嵌ったパチンコ玉の一部が、玉箱１の下面から突出し、玉箱１が据え置かれているパチンコ機の台又は床に接触することになり、接地がなされる。
【００２９】
また、底部１１には、細長い矩形状の複数の係止孔１６，１６…が、底部１１の長辺に沿って適長離隔した２箇所に底部１１の短辺と平行をなして夫々形成してある。なお、これら係止孔１６，１６…には消音プレート（図示せず）が係止爪にて係合されて装着され、該消音プレートにより、パチンコ機より勢いよく出球したパチンコ玉が玉箱内に落下するときに発生する大きな音が抑制されることになる。
【００３０】
このような玉箱１の対向する２側壁１２，１２夫々の外面には、図に示す如く、装飾が施されている。装飾部２は、図２に示す如く、文字列（図においてＡＢＣＤ）２１と、該文字列２１を囲む矩形枠２２とからなる。これら文字列２１及び矩形枠２２は、ドット状の複数の凹部２３，２３…を適長離隔して設けることにより表されている。なお、本実施の形態においてはＡＢＣＤの文字列２１を例に説明しているが、例えば、パチンコ店の名前、ロゴ等の文字又は図柄の装飾が施される。
【００３１】
このような装飾は、押し型を用いて、樹脂表面を凹凸に形成することにより施される。図３は、押し型の概略図である。押し型３は、金属製の矩形板であり、加工性及び耐久性の観点から、展延性がよく、侵食されにくい真鍮製が望ましい。押し型３の一面には、図に示すように、玉箱１に形成したい文字列２１及び矩形枠２２の鏡像３１，３２の外形に応じて突設された突設部３０が形成してあり、この突設部３０の表面にはドット状の複数の凸部３３，３３…が適長離隔して設けてある。
【００３２】
図４は、玉箱１への加飾方法の説明図であり、説明の便宜上、玉箱１及び押し型３を部分断面にて模式的に示している。押し型３は、１９０℃〜２１０℃の温度範囲内の所定温度、例えば２００℃に加熱してある。この加熱された押し型３を、図４（ａ）中に白抜き矢符にて示すように、凸部３３，３３…が設けられた一面の側を玉箱１の側壁１２の外面に対向させつつ、移動させて側壁１２の外面に当接させる。
【００３３】
この押し型３を、所定の押圧力（例えば、１５トン）にて、所定時間（例えば、４〜５秒）の間、図４（ｂ）に示す如く、玉箱１の側壁１２の外面に押し付け、その後、図４（ｃ）中に白抜き矢符にて示すように、押し型３を移動させて玉箱１から取り除く。
【００３４】
加熱された押し型３が押し付けられた玉箱１の表面近傍の樹脂は、押し型３との接触部分から熱が伝達されて軟化し、図４（ｂ）に示すように、押し型３の形状に応じて変形する。即ち、押し型３のドット状の凸部３３，３３…が玉箱１の側壁１２の樹脂表面に嵌入し、嵌入された領域の樹脂が変形して側壁１２の外面にドット状の凹部２３，２３…が形成される。この変形に伴い、嵌入された領域の樹脂が、その周縁部分の押し型３の凹部３４，３４…の隙間に入り込み、凸部２４，２４…、２５がドット状の凹部２３，２３…を縁取るように形成され、該凸部２４，２４…、２５は、略同一突設高さにて連設される。なお、凸部２５は、文字列２１及び矩形枠２２の輪郭線となる。
【００３５】
この結果、玉箱１の側壁１２の外面には、図４（ｃ）に示す如く、押し型３の凸部３３，３３…及びに凹部３４，３４…に応じて、凹部２３，２３…及び凸部２４，２４…が夫々形成されて、ドット状の複数の凹部２３，２３…により文字列２１及び矩形枠２２が表されることになり、図２に示すような装飾部２，２が形成される。
【００３６】
このような玉箱１への加飾は、例えば、ホットスタンプ用の機械を用いて、ホットスタンプ用の機械の熱盤に押し型３を取付け、テーブルに治具を介して玉箱１を固定して、ヒータにより加熱された押し型３を玉箱１に直接押圧することにより実施される。ホットスタンプ用の機械はそれ自体公知であるので、構造及び動作の説明を省略する。
【００３７】
以上のように装飾が施された本実施の形態に係る玉箱１は、遊技中、パチンコ機の台又は床に据え置かれており、玉箱１の側壁１２の外面に施されたパチンコ店の名前、ロゴ等の文字又は図柄を遊技客が視認することができる。玉箱１の樹脂表面を変形させることにより装飾を施しているから、装飾の耐久性を向上することができ、複数の玉箱１を重ねて積み上げるときに樹脂表面が擦り合わされる虞がある過酷な使用環境下にある玉箱１においても装飾の耐久性を良くすることができる。
【００３８】
また、玉箱１の成形後に装飾を施しているから、異なる装飾に応じて押し型３を夫々準備することにより、容易に多種類少量生産に対応することができる。さらに、玉箱１をリサイクル処理するときに、塗料又はインキを使用していないから、玉箱１から塗料又はインキを剥がす作業が不要となり、リサイクル処理時の作業を軽減することができる。
【００３９】
また、装飾である文字又は図柄を複数の凹部２３，２３…を配設して表しており、複数の凹部２３，２３…及び凸部２４，２４…により陰影が生じるから、凹部２３，２３…の寸法及び間隔を適切に設定することにより、文字又は図柄を立体化することができる。複数のドット状の凹部２３，２３…を配設して文字又は図柄を表すことは容易であるから、文字又は図柄を容易に立体化することができると共に、押し型３の製作が容易である。
【００４０】
１９０℃〜２１０℃の温度範囲内の所定温度に加熱された押し型３をポリカーボネート製の玉箱１の樹脂表面に押圧して玉箱１の外周面に装飾を施しており、加熱された押し型３が押し付けられた玉箱１の樹脂表面が熱により軟化して容易に変形するから、輪郭が鮮明な装飾を玉箱の外周面に施すことができる。
【００４１】
（実施の形態２）
図５は、実施の形態２に係る玉箱の側面図である。玉箱１の対向する２側壁１２，１２夫々の外面には、装飾が施されている。装飾部２ａは、文字列（図においてＡＢＣＤ）２１ａと、該文字列２１ａを囲む矩形枠２２ａとからなる。これら文字列２１ａ及び矩形枠２２ａは、線状の複数の凹部２３ａ，２３ａ…を適長離隔して設けることにより表されている。その他の構成は、図２に示す実施の形態１と同様であるため、対応する構成部材に図２と同一の参照符号を付して、その構成の詳細な説明を省略する。
【００４２】
本実施の形態においても、玉箱１の樹脂表面を変形させることにより装飾を施しているから、装飾の耐久性を向上することができる。また、玉箱１の成形後に装飾を施しているから、異なる装飾に応じて押し型を夫々準備することにより、容易に多種類少量生産に対応することができる。さらに、玉箱１をリサイクル処理するときに、玉箱１から塗料又はインキを剥がす作業が不要となり、リサイクル処理時の作業を軽減することができる。
【００４３】
複数の線状の凹部２３ａ，２３ａ…を配設して文字又は図柄を表すことは容易であるから、文字又は図柄を容易に立体化することができると共に、押し型の製作が容易である。
【００４４】
なお、以上の実施の形態においては、玉箱の対向する２側壁の外面に装飾を施した場合について説明したが、装飾を施す場所はこれに限定されないのは言うまでもない。
【００４５】
また、以上の実施の形態においては、複数の凹部を配設して文字又は図柄を表すようにしてあるが、複数の凸部を配設して文字又は図柄を表すようにしてもよい。
【００４６】
また、以上の実施の形態においては、ホットスタンプ用の機械を用いて、玉箱への加飾を実施しているが、これに限定されない。また、押し型を加熱しているが、これに限定されず、押し型が押し付けられる玉箱を加熱するようにしてもよい。玉箱自体を加熱する方法として、例えば、誘電加熱の方法を用いることができる。また、以上の実施の形態においては、押し型を加熱する方法として、ホットスタンプ用の機械を用いてヒータ加熱しているが、これに限定されず、例えば、高周波誘導加熱の方法を用いることができる。
【００４７】
また、以上の実施の形態においては、玉箱をポリカーボネート製であるとしたが、これに限定されず、衝撃に強い樹脂製であればよい。なお、前述した所定温度、所定の押圧力は、加工対象の樹脂の種類に応じて適宜選定される。
【００４８】
さらに、本発明は、特許請求の範囲に記載した事項の範囲内において種々変更した形態にて実施することが可能であることは言うまでもない。
【図面の簡単な説明】
【００４９】
【図１】本発明の実施の形態１に係る玉箱の外観斜視図である。
【図２】実施の形態１に係る玉箱の側面図である。
【図３】押し型の概略図である。
【図４】玉箱への加飾方法の説明図である。
【図５】実施の形態２に係る玉箱の側面図である。
【符号の説明】
【００５０】
１  玉箱
２，２ａ  装飾部
２３，２３ａ  凹部
３  押し型
３３  凸部
【図１】
2009165602.tif 000003
【図２】
2009165602.tif 000004
【図３】
2009165602.tif 000005
【図４】
2009165602.tif 000006
【図５】
2009165602.tif 000007